(57)【要約】      （修正有）【課題】覗き穴部分を隠す手段や、斜めから覗いても裏面の印刷面が確認できない手段、場合によっては占いの要素を加えたラベル付き容器を提供する。【解決手段】容器に巻きつけたラベルに覗き穴３を設け、該覗き穴部分を覗くとラベル裏面の印刷面２が透視出来るラベル付き容器１において、該覗き穴の形状は、鍵穴等のイラストの一部として構成する。そして、抜き成形または無模様で透明の覗き穴の上面にシール６を貼るか、不透明の覗き穴部分が剥せるように、覗き穴３の形状に沿ってミシン目を施す。さらに容器の形状によっては、容器の肩部や首部から覗かれても、光の屈折により見られない位置に印刷面を配置する。場合によっては、占いの要素を取り入れる。【選択図】図３
0003160848.tif 000002
【実用新案登録請求の範囲】
【請求項１】
容器に巻きつけたラベルに覗き穴部分を設け、該覗き穴部分を覗くとラベル裏面の印刷面が透視出来るラベル付き容器において、
該ラベルは、容器の側面である胴部全体に巻き付けられており、
該覗き穴の形状が、覗き穴周囲のイラストの一部として構成されていることを特徴とするラベル付き容器。
【請求項２】
覗き穴は、抜き成形または無模様で透明となっており、且つ該覗き穴からラベル裏面の印刷面が分らないように、該覗き穴の上面には、シールが貼られていることを特徴とする請求項1に記載のラベル付き容器。
【請求項３】
覗き穴は、不透明となっており、且つ該覗き穴部分が剥せるように、覗き穴の形状に沿ってミシン目が施されていることを特徴とする請求項1に記載のラベル付き容器。  
【請求項４】
イラストは、鍵穴、障子、ふすま、ドア、窓枠、映画スクリーン、銃口、かまくら、節穴、洞穴、落とし穴、望遠鏡、双眼鏡、顕微鏡、トンネル、巣、携帯電話の画面、垣根より選択される１種であることを特徴とする請求項1から請求項３のいずれか１項に記載のラベル付き容器。
【請求項５】
ラベル裏面の印刷面は、容器に液体を入れた状態で容器の肩部や首部から覗かれても見えないように、印刷面から反射した光線が、光の屈折により目に届きにくい位置に配置してあることを特徴とする請求項1から請求項４のいずれか１項に記載のラベル付き容器。
【請求項６】
ラベル裏面の印刷面は、占い付きであることを特徴とする請求項1から請求項５のいずれか１項に記載のラベル付き容器。
【考案の詳細な説明】
【技術分野】
【０００１】
本考案は、容器に巻きつけたラベルに覗き穴部分を設け、その覗き穴部分を覗くとラベルの裏面に印刷した写真等が透視出来る酒、焼酎、ビールやペットボトル飲料などのラベル付き容器に関する。
【背景技術】
【０００２】
従来、容器に巻きつけたラベルに覗き穴部分を設け、該覗き穴部分を覗くとラベル裏面に印刷した写真等が透視出来る発明が開示されている。
しかしながら、これらのラベル付き容器には、ラベルの覗き穴部分が常にオープンである為、購入せずともラベルの裏面に印刷した写真等が透視でき、購入するとしても、気に入ったもののみ購入されてしまうおそれがあった。
【特許文献１】特開２０００−２６７５６７
【特許文献２】実願平６−１０８９８
【考案の開示】
【考案が解決しようとする課題】
【０００３】
そのため、ラベル裏面に印刷した写真等を見られない為の工夫が必要であった。
【０００４】
また、ラベル裏面に印刷した写真等が見られなくとも、思わず覗きたくなるような工夫や、ビンの形状によってもラベル以外の部分から覗かれても内容が確認できないような工夫が必要であった。
【０００５】
そこで、ある部分が隠れていることで無性に見たくなったり、そこに知ってはならない秘密や、別世界があるかもしれない等とドキドキ感やワクワク感を持つ人間の心理や、光の屈折による現象に着目した。
【０００６】
本考案は、上記の問題点に斯かる実情に鑑みなされたもので、覗き穴部分を隠す手段や、斜めから覗いても裏面の印刷面が確認できない手段、場合によっては占いの要素を加えたラベル付き容器を提供することを課題とする。
【課題を解決するための手段】
【０００７】
請求項１に記載の考案は、容器に巻きつけたラベルに覗き穴部分を設け、該覗き穴部分を覗くとラベル裏面の印刷面が透視出来るラベル付き容器において、該ラベルは、容器の側面である胴部全体に巻き付けられており、該覗き穴の形状が、覗き穴周囲のイラストの一部として構成されていることを特徴とする。
【０００８】
請求項２に記載の考案は、覗き穴は、抜き成形または無模様で透明となっており、且つ該覗き穴からラベル裏面の印刷面が分らないように、該覗き穴の上面には、シールが貼られていることを特徴とする。
【０００９】
請求項３に記載の考案は、覗き穴は、不透明となっており、且つ前記覗き穴部分が剥せるように、覗き穴の形状に沿ってミシン目が施されていることを特徴とする。
【００１０】
請求項４に記載の考案は、イラストは、鍵穴、障子、ふすま、ドア、窓枠、映画スクリーン、銃口、かまくら、節穴、洞穴、落とし穴、望遠鏡、双眼鏡、顕微鏡、トンネル、巣、携帯電話の画面、垣根より選択される１種であることを特徴とする。
【００１１】
請求項５に記載の考案は、ラベル裏面の印刷面は、容器に液体を入れた状態で容器の肩部や首部から覗かれても見えないように、印刷面から反射した光線が、光の屈折により目に届きにくい位置に配置してあることを特徴とする。
【００１２】
請求項６に記載の考案は、ラベル裏面の印刷面は、占い付きであることを特徴とする。
【考案の効果】
【００１３】
本考案によれば、覗き穴をシールで塞ぐことで思わず覗きたくなり、シールを剥げば、裏面の写真等が見られ、占いの要素を入れることで、いっそう楽しめる。また、光の屈折を利用することで、ビンの形状によっては、ラベル以外の部分から覗かれてもラベル裏面の印刷面の内容が確認しづらくなる。
【考案を実施するための最良の形態】
【００１４】
容器に巻きつけたラベルに覗き穴部分を設け、該覗き穴部分を覗くとラベル裏面の印刷面が透視出来るラベル付き容器において、該覗き穴の形状は、鍵穴等のイラストの一部として構成する。そして、抜き成形または無模様で透明の覗き穴の上面にシールを貼るか、不透明の覗き穴部分が剥せるように、覗き穴の形状に沿ってミシン目を施す。さらに容器の形状によっては、容器の肩部や首部から覗かれても、光の屈折により見られない位置に印刷面を配置する。場合によっては、占いの要素を取り入れる。
【００１５】
ここで、抜き成形とは、任意の型をあて、その型どおりに打ち抜くことで、ラベル面に任意の型の貫通穴を作ることである。
【００１６】
また、「占いの要素」とは、ラベル裏面の印刷面の内容で人の運勢や、物事の吉凶を判断することで、文字で「当たり」や「大吉」等と現したり、滅多に出ないキャラクター等が現われれば、運がいいといったもの等が含まれる。
【００１７】
さらに、「屈折」とは、光が異なる媒質の境界で進行方向を変えることで、空気層から液体層に入った場合は、図１のようにＢ点で進行方向が変わり、空気中からガラス層を経て液体に入った場合は図２のようにＢ点とＣ点で進行方向が変わる。また、図１のように、屈折によって液体層の物体Ｃがあたかも目線上のＤ付近にあるように見えたり、光が１つ以上の媒質を通ると、屈折によって虚像を作り出し、拡大して見えることもある。
【００１８】
「印刷面」とは、ラベル裏面の写真や線図が印刷されている面のことであり、「イラスト」とは、ラベル表面の覗き穴周囲の写真や線図のことである。
【実施例１】
【００１９】
以下、図面を参照して本考案に係るラベルの一実施例を説明する。
図３は、本考案に係るラベル付き容器が円筒形の図である。
【００２０】
まず、容器の側面である胴部が全て覆える紙製のラベルにおいて、図４のようにラベルの表面には、形状が縦長で長方形の覗き穴３を抜き成形により設け、該覗き穴３が、障子が少し開いたイラスト５の一部となるよう構成する。
【００２１】
次に、図５のようにラベルの裏面には、和服美人の印刷面２を設け、該和服美人の印刷面２は、容器にラベルを巻きつけた時に、抜き成形された覗き穴３から透視可能な位置に配置する。
【００２２】
そして、抜き成形の覗き穴面上にシール６を貼り、裏面の和服美人の印刷面２を見る為には、図３のように、該シールをはがして容器内を覗いて確認する。
【００２３】
その為、透視可能な最良の位置は、ラベルを巻きつけた時に覗き穴３から見て真正面に和服美人の印刷面２が見えることが望ましいが、透視可能であれば特に限定されない。
【００２４】
また、覗き穴３周囲のイラストも障子に限らず、その部分が全部あるいは一部が隠れていることで無性に見たくなったり、そこに別世界や知ってはならない秘密があるかもしれないとドキドキ感やワクワク感を持つものであれば、鍵穴、障子、ふすま、ドア、窓枠、映画スクリーン、銃口、かまくら、節穴、洞穴、落とし穴、望遠鏡、双眼鏡、顕微鏡、トンネル、巣、携帯電話の画面、垣根に限らず何でも良い。
【００２５】
さらに、和服美人も１種類に限らず、顔や着物の違う和服美人を複数印刷すれば、シールを剥せばいずれかの和服美人に会えるような展開ができる。
【００２６】
そして、本実施例では、覗き穴の数は１つであるが、複数であっても構わない。図示しないが例えば、覗き穴が、障子に指で開けた穴として障子のイラストの一部として構成された場合、指サイズの覗き穴が違う位置にあることで、アングルを変えて見たり、２人で覗き合って楽しむことも可能である。
【００２７】
また、ラベルがシュリンクフィルムの場合は、覗き穴部分を透明又は有色透明にしておき、上からシールを貼ることで抜き成形された場合と同様の効果が得られる。
【００２８】
なお、筒状の容器の場合、側面部分を全てラベルで覆い、さらに図３のように蓋部分を和紙等で包めば、ラベル裏面の和服美人を外から見る手段を失い、ますます覗きたくなる人間の心理を利用できる。
【実施例２】
【００２９】
次に説明する実施例２は、本考案に係るラベル付きの容器であり、図６のように首部１５と肩部１２と胴部７からなる透明のビンである。
【００３０】
まず、容器の胴部７が全て覆えるラベルにおいて、図７のようにラベルの表面には、形状が逆Ｕ字形の覗き穴３を設け、該覗き穴部分は不透明とし、且つ該覗き穴部分が剥せるように、覗き穴の形状に沿ってミシン目９を施しておく。
【００３１】
このとき、該覗き穴３が、かまくらのイラスト８の一部である入り口となるよう構成する。
【００３２】
次に、図８のようにラベル裏面には、旗を持った座敷わらしの印刷面２を施し、もし座敷わらしの持つ旗に「当たり」１０が印刷されていれば大吉という占いの要素を追加する。
【００３３】
このとき、該旗を持った座敷わらしの印刷面２は、容器の胴部７全体にラベルを巻きつけた時に、覗き穴から透視可能な位置に配置する。
【００３４】
そして、旗を持った座敷わらしの印刷面２を見る為には、図６のように、覗き穴の形状に沿ってミシン目９をはがして容器内を覗いて確認する。
【００３５】
ここで、容器に透明の液体１４を首部１５の中間あたりまで入れた状態で、首部１５の水面から肩部１２にかけて覗かれても印刷面２が見られないように、印刷面は、印刷面から反射した光線が、光の屈折により目に届きにくいラベルの下部１８付近に設けることが望ましい。
【００３６】
具体的には、図６の断面を示した図９において、Ａ付近から首部の水面を見ると、屈折により水中で目線上に、ラベル裏面の上部１６から中部１７付近が小さく現れるがラベルの下部１８付近に設けた印刷部分はほとんど確認できない状態になる。
【００３７】
また、Ｂ付近からでは、屈折により目線上がラベル裏面のどの部分が反射しているか確認できないほど収縮して歪んで見えるため、ラベルの下部１８付近に設けた印刷部分はほとんど確認できない状態になる。
【００３８】
さらに、Ｃ付近からでは、屈折によるレンズ効果でラベル裏面の上部１６から中部１７付近が拡大されて見え、下の部分は歪んで見える為、ラベルの下部付近に設けた印刷部分はほとんど確認できない状態になる。
【００３９】
このとき、胴部７の長さが短かければ、ラベルの下部付近に設けた印刷部分まで見えてしまう点に注意し、例えば首部までラベルで覆うことが必要である。
【００４０】
なお、印刷の大きさによっては、全てが見えない配置が取れないかも知れないが、特に、本実施例のように「当たり」の占いの要素部分が見えないことがポイントであれば、「当たり」の部分が見えない配置を決め、その他の印刷面を部分的に見せることで、かえって覗きたくなる人間の心理を利用しても良い。
【００４１】
最後に、実施例１も含めた共通事項として、ラベルの表面や裏面には、商品名やキャッチフレーズや記号などを設けて商品性を高める工夫をすることは自由である。
【００４２】
以上説明したように、好ましい実施例を挙げて本考案を説明したが、本考案はその実施例に限定されるものではなく、本考案の要旨の範囲内で種々に改変できる。
【図面の簡単な説明】
【００４３】
【図１】光の屈折を示す図である。
【図２】光の屈折を示す図である。
【図３】本考案に係るラベル付き容器のシール部分をはがす様子を示した図である。
【図４】本考案に係るラベル付き容器のラベルの表面図である。
【図５】本考案に係るラベル付き容器のラベルの裏面図である。
【図６】本考案に係るラベル付き容器の覗き穴から印刷部分が見える図である。
【図７】本考案に係るラベル付き容器ラベルの表面図である。
【図８】本考案に係るラベル付き容器ラベルの裏面図である。
【図９】本考案に係るラベル付き容器の断面図である。
【符号の説明】
【００４４】
１  ラベル付き容器
２  印刷面
３  覗き穴
４  ラベル
５  障子が少し開いたイラスト
６  シール
７  胴部
８  かまくらのイラスト
９  ミシン目
１０  当たり
１１  注ぎ口
１２  肩部
１３  空気
１４  液体
１５  首部
１６  上部
１７  中部
１８  下部
１９  空気層
２０  液体層
２１  ガラス層
【図１】
0003160848.tif 000003
【図２】
0003160848.tif 000004
【図３】
0003160848.tif 000005
【図４】
0003160848.tif 000006
【図５】
0003160848.tif 000007
【図６】
0003160848.tif 000008
【図７】
0003160848.tif 000009
【図８】
0003160848.tif 000010
【図９】
0003160848.tif 000011